(57)【要約】  内足ライン（２１）および外足ライン（２２）により履き口（２０）の上縁が定義されるアッパー（２）と、履き口の上縁の下方位置において、下方（Ｄ）に向かって凸の内足側の第１カウンタライン（１１）および第２カウンタライン（１２）で上縁が定義されたカウンタ（１）とを備え、内足ライン上の最下端の第１点（Ｏ１）と第１カウンタライン上の最下端の第２点（Ｏ２）との高さ方向の差で内足高低差（ＨＭ）が定義され、外足ライン上の最下端の第３点（Ｏ３）と第２カウンタライン上の最下端の第４点（Ｏ４）との高さ方向の差で外足高低差（ＨＬ）が定義され、外足高低差（ＨＬ）が内足高低差（ＨＭ）よりも大きい。
2020152821.tif 000002
【特許請求の範囲】
【請求項１】
内足ライン２１および外足ライン２２により履き口２０の上縁が定義されるアッパー２と、  前記履き口２０の前記上縁の下方位置において、下方Ｄに向かって凸の内足側の第１カウンタライン１１および外足側の第２カウンタライン１２で上縁が定義されたカウンタ１とを備え、  前記内足ライン２１上の最下端の第１点Ｏ１と前記第１カウンタライン１１上の最下端の第２点Ｏ２との高さ方向の差で内足高低差ＨＭが定義され、  前記外足ライン２２上の最下端の第３点Ｏ３と前記第２カウンタライン１２上の最下端の第４点Ｏ４との高さ方向の差で外足高低差ＨＬが定義され、  前記外足高低差ＨＬが前記内足高低差ＨＭよりも大きい、靴。
【請求項２】
請求項１において、  前記第３点Ｏ３が前記第１点０１よりも下方Ｄに配置されている、靴。
【請求項３】
請求項１もしくは２において、  前記内足ライン２１上の後端側の最上点Ｏから前記第１点Ｏ１までの高さ方向の差で第１高低差Ｈ１が定義され、  内足側において、前記第１カウンタライン１１および第２カウンタライン１２における後端の第５点Ｏ５から前記第２点Ｏ２までの高さ方向の差で第２高低差Ｈ２が定義され、  外足側において、前記第５点Ｏ５から前記第４点Ｏ４までの高さ方向の差で第３高低差Ｈ３が定義され、  下記の式（１００）を満たす靴    Ｈ３＞Ｈ１＞Ｈ２        ……（１００）。
【請求項４】
請求項１〜３のいずれか１項において、  靴の前後方向のサイズをＳとしたとき、下記の式（１１０）を満たす    Ｓ／１００＜ＨＬ−ＨＭ＜Ｓ／１０    ……（１１０）。
【請求項５】
請求項１〜４のいずれか１項において、  前記カウンタ１の前記第４点Ｏ４が、前記アッパー２の前記第３点Ｏ３よりも靴の前後方向の後方Ｂに配置されている、靴。
【請求項６】
請求項１〜５のいずれか１項において、  前記第１点Ｏ１から前記第２点Ｏ２までの前後方向の距離で第１距離ＤＭが定義され、  前記第３点Ｏ３から前記第４点Ｏ４までの前後方向の距離で第２距離ＤＬが定義され、  前記第２距離ＤＬが前記第１距離ＤＭよりも大きい、靴。
【請求項７】
請求項１〜６のいずれか１項において、前記カウンタ１は、  前記内足側のソール上縁における前記カウンタ１の最前端となる内足下端点Ｏ６から斜め前方の上方に向かって延びる内前端ライン１３と、  前記外足側のソール上縁における前記カウンタ１の最前端となる外足下端点Ｏ７から斜め前方の上方に向かって延びる外前端ライン１４とを定義する、靴。
【請求項８】
請求項７において、前記外足下端点Ｏ７が前記内足下端点Ｏ６よりも前記靴の前後方向の後方Ｂに配置されている、靴。
【請求項９】
請求項７において、  前記内足側における前記第２点Ｏ２から前記内足下端点Ｏ６までの距離で第１幅ＷＭが定義され、  前記外足側における前記第４点Ｏ４から前記外足下端点Ｏ７までの距離で第２幅ＷＬが定義され、前記第１幅ＷＭが前記第２幅ＷＬよりも大きい、靴。
【請求項１０】
請求項１〜６のいずれか１項において、前記アッパー２に接合されたソール４を更に備え、前記カウンタ１は、  前記履き口２０の後部の下方位置において前記ソールから上方に延び前記アッパー２の前記内足側、背側および前記外足側に配置されたヒール部１５と、  前記内足側および前記外足側の前記履き口２０の前部の下方位置において、各々、前記ヒール部１５から斜め前方の上方に延びる内足側および外足側の可動部１６とを有する、靴。
【請求項１１】
内足側および外足側において各々、履き口２０の上縁を定義し、下方Ｄに向かって凸の内足ライン２１および外足ライン２２を有するアッパー２と、  前記アッパー２に接合されたソール４と、  前記履き口２０の後部の下方位置において前記ソール４から上方に延びアッパー２の前記内足側、背側および前記外足側に配置されたヒール部１５と、前記内足側および前記外足側の前記履き口２０の前部の下方位置において、各々、前記ヒール部１５から斜め前方の上方に延びる内足側および外足側の可動部１６を有するカウンタ１とを備え、  前記カウンタ１の上縁は前記内足側および前記外足側において前記内足ライン２１および前記外足ライン２２のそれぞれに沿い下方Ｄに向かって凸の第１カウンタライン１１および第２カウンタライン１２で定義され、  前記内足ライン２１上の最下端の第１点Ｏ１と前記第１カウンタライン１１上の最下端の第２点Ｏ２との高さ方向の差で内足高低差ＨＭが定義され、  前記外足ライン２２上の最下端の第３点Ｏ３と前記第２カウンタライン１２上の最下端の第４点Ｏ４との高さ方向の差で外足高低差ＨＬが定義され、  前記最下端の第３点Ｏ３が前記最下端の第１点Ｏ１よりも下方Ｄに配置され、前記外足高低差ＨＬが前記内足高低差ＨＭよりも大きい、靴。
【請求項１２】
請求項１１において、  前記第４点Ｏ４が前記第２点Ｏ２よりも後方Ｂに配置されている、靴。
【請求項１３】
請求項１０もしくは１１において、  前記靴は、前記アッパー２の内足部２Ｍと外足部２Ｌとを互いに引き寄せるシューレース５を更に備え、  前記内足部２Ｍおよび外足部２Ｌは、前記シューレースが係合する複数のハトメＨを定義し、  前記内足側および外足側の可動部１６は、前記内足部２Ｍおよび外足部２Ｌのハトメのうち、各々、最後端のハトメＨＮに向かって延びている、靴。
【請求項１４】
請求項１０もしくは１１において、  前記第２点Ｏ２から前記内足側の前記可動部１６の先端までの前後方向の長さで第１長さＬＭが定義され、  前記第４点Ｏ４から前記外足側の前記可動部１６の先端までの前後方向の長さで第２長さＬＬが定義され、前記第２長さＬＬが前記第１長さＬＭよりも長い、靴。
【請求項１５】
履き口２０を定義するアッパー２と、  前記履き口２０の上縁の下方位置において、下方Ｄに向かって凸の内足側の第１カウンタライン１１および外足側の第２カウンタライン１２で上縁が定義されたカウンタ１とを備え、  前記第２カウンタライン１２上の最下端の第４点Ｏ４が前記第１カウンタライン１１上の最下端の第２点Ｏ２よりも下方に配置され、  前記第４点Ｏ４が前記アッパーに収容された中敷７の全長に対して、前記アッパー２の内部の後端２４から１５％以内の位置に配置されている、靴。 
【発明の詳細な説明】
【技術分野】
【０００１】  本発明はカウンタを備えた靴に関する。
【背景技術】
【０００２】  アッパーの踵部を保形するカウンタは公知である（特許文献）。走行時や歩行時において、足は踵の外足側から接地した後、内側に倒れるようにプロネーションを呈する。この際、カウンタは安定性能とプロネーションの抑制機能を発揮する。また、その後のヒールライズの際には、アッパー内で踵がソールから浮き上がらないように、踵をホールドするホールド機能を発揮する。
【先行技術文献】
【特許文献】
【０００３】
【特許文献１】ＵＳ８，６７７，６５６  Ｂ２
【特許文献２】ＪＰ２００８−２０６６２９  Ａ
【発明の概要】
【０００４】  しかし、カウンタはアッパーの剛性を大きくする。そのため、足の踵に対するアッパーの足沿いを低下させるおそれがある。
【０００５】  したがって、本発明の目的は安定性能、プロネーション抑制機能およびホールド機能を高めると共に、踵に対するアッパーの足沿いを向上させることができるカウンタを備えた靴を提供することである。
【０００６】  本発明の原理について図６を用いて説明する。  図６（ａ）は右足を斜め後方の１つの角度から見た斜視図、図６（ｂ）は右足および骨格を斜め後方の別の角度から見た斜視図である。図６（ｃ）および（ｄ）はそれぞれ、右足を斜め前方から見た斜視図である。
【０００７】  足の踝は内足側の内踝ＡＭよりも外足側の外踝ＡＬの方が下方に位置する。図６（ｂ）の踵の内足側には踵骨載距突起ＡＢと呼ばれる突起などがあり、図６（ａ）の内足側において若干張り出した部分Ｆ１がある。一方、図６（ａ）の踵の外足側には外踝ＡＬの斜め後方において、外踝ＡＬと足裏との間において括（くび）れた括れ部Ｆ２がある。前記足裏から括れ部Ｆ２まで踵の外足側は上方に向かってテーパ状に細くなっている。
【０００８】  したがって、従来の一般的なカウンタのように、内外で同等の形状および構造とすると、カウンタ部分においてアッパーの足沿いが内外のいずれか一方で低下する要因となるであろう。
【課題を解決するための手段】
【０００９】  本発明に係る靴は、第１の局面において、内足ライン２１および外足ライン２２により履き口２０の上縁が定義されるアッパー２と、カウンタ１とを備える。前記カウンタ１は、前記履き口２０の上縁の下方位置において、下方Ｄに向かって凸の内足側の第１カウンタライン１１および外足側の第２カウンタライン１２で上縁が定義される。前記内足ライン２１上の最下端の第１点Ｏ１と前記第１カウンタライン１１上の最下端の第２点Ｏ２との高さ方向の差で内足高低差ＨＭが定義される。前記外足ライン２２上の最下端の第３点Ｏ３と前記第２カウンタライン１２上の最下端の第４点Ｏ４との高さ方向の差で外足高低差ＨＬが定義される。前記外足高低差ＨＬは前記内足高低差ＨＭよりも大きい。
【００１０】  ここで、第１の局面において、外足高低差ＨＬは内足高低差ＨＭよりも大きく、そのため、外足側の第２カウンタライン１２が内足側の第１カウンタライン１１よりも下方に配置されるだろう。このように第２カウンタライン１２が前記下方に配置された外足側のカウンタは、前記外足側の括れ部Ｆ２よりも下方の部位に接し易く、踵の外足側に対しアッパーをフィットさせ易くするだろう。
【００１１】  本明細書において、内足ラインおよび外足ラインとは、履き口２０を定義するトップラインの内足側および外足側のラインを意味し、両者はアッパーの後端側において互いに連なる。内足側および外足側とは、各々、足の内足および外足を覆う部位でアッパーの内外側面図において視認される部位を意味する。カウンタの上縁を定義する第１カウンタライン１１および第２カウンタライン１２とは内外のカウンタの横断面において最も上方の点を前後に連ねたラインを意味する。したがって、各カウンタラインの真下にカウンタの部分が存在し、各カウンタラインの真上にはカウンタの部分は存在しない。
【００１２】  本発明に係る靴は、第２の局面において、アッパー２と、前記アッパー２に接合されたソールと、カウンタ１とを備える。前記アッパー２は、内足側および外足側において各々、履き口２０の上縁を定義し、下方Ｄに向かって凸の内足ライン２１および外足ライン２２を有する。前記カウンタ１は、前記履き口２０の後部の下方位置において前記ソール４から上方に延びアッパー２の内足側、背側および前記外足側に配置されたヒール部１５を有する。前記カウンタ１は、前記内足側および前記外足側の前記履き口２０の前部の下方位置において、各々、前記ヒール部１５から斜め前方の上方に延びる内足側および外足側の可動部１６を有する。前記カウンタ１の上縁は、前記内足側および前記外足側において内足ライン２１および外足ライン２２のそれぞれに沿い下方Ｄに向かって凸の第１カウンタライン１１および第２カウンタライン１２で定義される。前記内足ライン２１上の最下端の第１点Ｏ１と前記第１カウンタライン１１上の最下端の第２点Ｏ２との高さ方向の差で内足高低差ＨＭが定義される。前記外足ライン２２上の最下端の第３点Ｏ３と前記第２カウンタライン１２上の最下端の第４点Ｏ４との高さ方向の差で外足高低差ＨＬが定義される。前記最下端の第３点Ｏ３は、前記最下端の第１点Ｏ１よりも下方Ｄに配置されている。前記外足高低差ＨＬは前記内足高低差ＨＭよりも大きい。
【００１３】  本局面において、ヒール部は踵をアッパーで捉んだ状態を助け、前記安定性能と前記ホールド機能を発揮するであろう。
【００１４】  一方、ヒール部から斜め前方の上方に延びる可動部は、シューレースなどにより足の側面に沿うように互いに引き寄せられ、カウンタによるアッパーの足沿いを向上させるであろう。
【００１５】  一般的な大人の男性であれば、外踝は７ｍｍ以上内踝よりも下方に、１２ｍｍ以上内踝より後方に位置しているといわれている。本局面において、第３点Ｏ３は第１点Ｏ１よりも下方Ｄに配置されていることにより、内踝よりも低い位置にある外踝に外足ライン２２が干渉しないようにすることができる。更に内足高低差ＨＭが外足高低差ＨＬよりも小さいことにより、内足側においてカウンタ１の足の側面を支える機能が外足側よりも大きくなる。したがって、足が内側に倒れる前記プロネーションを抑制する機能が高くなるであろう。特に、外足高低差ＨＬが内足高低差ＨＭよりも大きいので、第１点Ｏ１よりも下方に配置された第３点Ｏ３から更に大きく離れた下方にカウンタの第４点Ｏ４が配置されることになる。したがって、外踝から外足側の第２カウンタライン１２までの高さが大きくなる。そのため、外踝の膨らみにカウンタが対峙することがなく、したがって、外踝の下方位置の外足側において前記括れ部Ｆ２よりも下方の部位にカウンタが更に接し易くなるであろう。その結果、外足側においては、カウンタ１の足沿いが更に良好になるだろう。
【００１６】  これに対し、公知のカウンタは、内外が略同様な形状および大きさで形成されている。したがって、公知のカウンタを運動靴に適用した場合、内足高低差ＨＭが大きくなり、外足高低差ＨＬが小さくなる。このような構造では、内足側においては、カウンタ１にサポートされる部分が不足し、足が内足側に倒れるのを十分に抑制できないだろう。また、外足側においては、第２カウンタライン１２が外踝に近すぎて、カウンタ１の足沿いが良くないだろう。
【００１７】  本発明に係る靴は、第３の局面において、履き口２０を定義するアッパー２と、カウンタ１とを備える。前記カウンタ１は、前記履き口２０の上縁の下方位置において、下方Ｄに向かって凸の内足側の第１カウンタライン１１および外足側の第２カウンタライン１２で上縁が定義される。前記第２カウンタライン１２上の最下端の第４点Ｏ４が前記第１カウンタライン１１上の最下端の第２点Ｏ２よりも下方に配置されている。前記第４点Ｏ４が前記アッパーに収容された中敷７の全長に対して、前記アッパー２の内部の後端２４から１５％以内の位置に配置されている。
【００１８】  本局面において、外足側のカウンタライン１２の最下端の第４点Ｏ４は、前記後端から１５％以内の位置に配置されており、そのため、足が靴に挿入されたときに外踝よりも後方に位置する。したがって、外踝よりも後方のアッパーの部位が外足側において足に沿い易いであろう。
【図面の簡単な説明】
【００１９】
【図１】図１（ａ）および（ｂ）は、それぞれ、本発明の実施形態１を示す靴の内側面図および外側面図、（ｃ）は中敷きを示す靴の部分縦断面図である。  なお、図１において、カウンタにはドット模様が付されている。
【図２】図２（ａ）および（ｂ）は、それぞれ、靴の後足部を示す内側面図および外側面図である。
【図３】図３（ａ）および（ｂ）は、それぞれ、靴の後足部を示す内側面図および外側面図である。
【図４】図４（ａ）および（ｂ）は、それぞれ、靴の後足部を示す内側面図および外側面図である。
【図５】図５（ａ），（ｂ）および（ｃ）は、それぞれ、カウンタを示す内側面図、外側面図および背面図である。
【図６】図６（ａ）および（ｂ）は、それぞれ、足を斜め後方の別々の角度から見た足の斜視図、図６（ｃ）および（ｄ）は、それぞれ、足を斜め前方の別々の角度から見た足の斜視図である。
【図７】図７（ａ）および（ｂ）は、それぞれ、実施形態２の靴の後足部を示す内側面図および外側面図である。
【図８】図８（ａ）および（ｂ）は、それぞれ、実施形態３の靴の後足部を示す内側面図および外側面図である。
【図９】図９（ａ）および（ｂ）は、それぞれ、実施形態４の靴の内側面図および外側面図である。
【図１０】図１０（ａ）および（ｂ）は、それぞれ、実施形態５の靴の内側面図および外側面図である。
【図１１】図１１（ａ）および（ｂ）は、それぞれ、実施形態６の靴の内側面図および外側面図である。
【発明を実施するための形態】
【００２０】  本開示の実施は、以下の任意選択の特徴のうちの１つ又は複数を含んでもよい。  本発明を実施するための形態において、一部の例では、前記第３点Ｏ３が前記第１点０１よりも下方Ｄに配置されている。
【００２１】  一部の例では、前記内足ライン２１上の後端側の最上点Ｏから前記第１点Ｏ１までの高さ方向の差で第１高低差Ｈ１が定義される。また、内足側において前記第１カウンタライン１１および第２カウンタライン１２における後端の第５点Ｏ５から前記第２点Ｏ２までの高さ方向の差で第２高低差Ｈ２が定義される。また、外足側において前記第５点Ｏ５から前記第４点Ｏ４までの高さ方向の差で第３高低差Ｈ３が定義される。本例は下記の式（１００）を満たしている。    Ｈ３＞Ｈ１＞Ｈ２        ……（１００）
【００２２】  一部の例では、靴の前後方向のサイズをＳとしたとき、下記の式（１１０）を満たす。     Ｓ／１００＜ＨＬ−ＨＭ＜Ｓ／１０    ……（１１０）
【００２３】  前記式（１１０）によれば前記サイズが２７ｃｍ用である場合、（ＨＬ−ＨＭ）の値は２．７ｍｍ〜２７ｍｍである。また、前記サイズが１０インチ用である場合、（ＨＬ−ＨＭ）の値は０．１〜１．０インチである。
【００２４】  なお、本明細書において、靴の前後方向のサイズＳとは、販売される靴やタグに表示された着用者の足のサイズを意味する。
【００２５】  一部の例では、前記カウンタ１の前記第４点Ｏ４が、前記アッパー２の前記第３点Ｏ３よりも靴の前後方向の後方Ｂに配置されている。
【００２６】  一部の例では、前記第１点Ｏ１から第２点Ｏ２までの前後方向の距離で第１距離ＤＭが定義される。また、第３点Ｏ３から第４点Ｏ４までの前後方向の距離で第２距離ＤＬが定義される。本例において、前記第２距離ＤＬは前記第１距離ＤＭよりも大きい。
【００２７】  一部の例では、前記カウンタ１は、前記内足側の前記ソール上縁における前記カウンタ１の最前端となる内足下端点Ｏ６から斜め前方の上方に向かって延びる内前端ライン１３が定義される。また、前記カウンタ１は、前記外足側の前記ソール上縁における前記カウンタ１の最前端となる外足下端点Ｏ７から斜め前方の上方に向かって延びる外前端ライン１４が定義される。
【００２８】  一部の例では、前記外足下端点Ｏ７が前記内足下端点Ｏ６よりも前記靴の前後方向の後方Ｂに配置されている。
【００２９】  一部の例では、前記内足側における前記第２点Ｏ２から前記内足下端点Ｏ６までの距離で第１幅ＷＭが定義される。また、前記外足側における前記第４点Ｏ４から前記外足下端点Ｏ７までの距離で第２幅ＷＬが定義される。本例において、前記第１幅ＷＭは前記第２幅ＷＬよりも大きい。
【００３０】  一部の例では、前記アッパー２に接合されたソールを更に備える。本例において、前記カウンタ１は、前記履き口２０の後部の下方位置において前記ソールから上方に延び前記アッパー２の前記内足側、背側および前記外足側に配置されたヒール部１５を有する。前記カウンタ１は、前記内足側および前記外足側の前記履き口２０の前部の下方位置において、各々、前記ヒール部１５から斜め前方の上方に延びる内足側および外足側の可動部１６を有する。
【００３１】  本明細書において、アッパーの背側とは、少なくともアッパーの最後端の部位を含み、前記内足側および外足側の後端部分を含むが、前記内外足側との境界は問題としない。
【００３２】  一部の例では、前記第４点Ｏ４が前記第２点Ｏ２よりも前記靴の前後方向の後方Ｂに配置されている。
【００３３】  一部の例では、前記靴は、前記アッパー２の内足部２Ｍと外足部２Ｌとを互いに引き寄せるシューレース５を更に備える。本例において、前記内足部２Ｍおよび外足部２Ｌは、前記シューレースが係合する複数のハトメＨを定義する。前記内足側および外足側の可動部１６は、前記内足部２Ｍおよび外足部２Ｌのハトメのうち、各々、最後端のハトメＨＮに向かって延びている。
【００３４】  一部の例では、前記第２点Ｏ２から前記内足側の前記可動部１６の先端までの前後方向の長さで第１長さＬＭが定義される。また、前記第４点Ｏ４から前記外足側の前記可動部１６の先端までの前後方向の長さで第２長さＬＬが定義される。本例において、前記第２長さＬＬは前記第１長さＬＭよりも長い。
【００３５】  １つの前記各実施態様に関連して説明および／または図示した特徴は、１つまたはそれ以上の他の実施態様または他の実施形態において同一または類似な形で、および／または他の実施態様の特徴と組み合わせて、または、その代わりに利用することができる。
【００３６】  本発明は、添付の図面を参考にした以下の好適な実施形態の説明からより明瞭に理解されるであろう。しかし、実施形態および図面は、単なる図示および説明のための例示であって制限的なものではない。本発明の範囲は、請求の範囲によって示され、請求の範囲と均等の意味および範囲内でのすべての変更が含まれることが意図されるべきである。本明細書においては、特に言及しない限り、添付図面において同一または相当する部分には、同一の参照符号を付し、その説明は繰り返さない。本明細書において前後方向は、つま先側を前方Ｆ、踵側を後方Ｂとする。
【００３７】  （実施形態１）  図１〜図５は実施形態１を示す。図１に示すように、本運動靴は、アッパー２、ソール４およびカウンタ１を備える。
【００３８】  図示していないが、アッパー１は外甲材（アウタスキン）と腰裏材（インナスキン）との間に樹脂の発泡体からなるクッション材を備えていてもよい。
【００３９】  アッパー２には図示しない周知のインソールが縫合されていてもよい。図２のアッパー２には脚が上方に延び、かつ、足を挿入するための履き口２０が形成されている。アッパー２内には図１（ｃ）に示す中敷き７がインソール上に配置されている。
【００４０】  図１において、アッパー２は例えばシューレース５のような締結具を備える。シューレース５はアッパー２の内足部２Ｍおよび外足部２Ｌが足に密着するように内足部２Ｍと外足部２Ｌとを互いに引き寄せてアッパー２を締め付ける。内足部２Ｍおよび外足部２Ｌはシューレース５が係合する複数のハトメＨを定義する。なお、符号６は履き口２０の前方に設けられた舌片である。
【００４１】  アッパー２の内足部２Ｍは足の内足面を覆う。アッパー２の外足部２Ｌは足の外足面を覆う。アッパー２の内足部２Ｍと外足部２Ｌとはアッパー２の背側２Ｂにおいて互いに連なる。本実施形態においては、図２のように、外踝ＡＬおよび内踝ＡＭは、それぞれ、履き口２０の上方に露出している。
【００４２】  本実施形態の場合、図２に示すように、カウンタ１はアッパー２の内足部２Ｍおよび外足部２Ｌにおいてアッパー２の外表面に接着されて固着されている。このように外表面にカウンタ１が接着されたアッパー２は曲げ剛性が高く、外反（内足側への足の倒れ）抑制に寄与し易い。
【００４３】  カウンタ１は、例えば熱可塑性の樹脂成分を含む非発泡体の材料で一体に形成されている。カウンタ１は人工皮革など他の素材で形成されていてもよい。  カウンタ１および中底の下方には、ソール４が積層されている。
【００４４】  つぎに、カウンタ１の具体的構造の一例が説明される。図１においては、説明のため、カウンタ１にドット模様が付されている。  図１〜図４に示すカウンタ１は、アッパー２を形成する生地の外表面に接着されており、複数層の生地で形成された柔軟なアッパー２の踵部２３を保形する。図１のカウンタ１は内足部２Ｍに配置された内足側と、外足部２Ｌに配置された外足側とが、図５（ｃ）のように一体に形成されている。
【００４５】  図２に示すように、カウンタ１の内足側と外足側とは互いに非対称に形成されている。カウンタ１は内足側および外足側の各々において、内足ビーム３４、外足ビーム３５、内足アーム３６、外足アーム３７、内足ベース３８および外足ベース３９によって枠状（ループ状）に形成されている。この枠状のカウンタ１には複数の貫通孔１９（図１）が設けられている。貫通孔１９の部分にシート状の樹脂などを張り付け、踵部２３を保護してもよい。
【００４６】  図２に示すように、内足ビーム３４および外足ビーム３５は、それぞれ内外（内足側および外足側）において、下方に向かって凸形状の帯状に延びる。内足ベース３８および外足ベース３９は、各々、内外において、アッパー２とソール４の巻上部４０との間に一部が挟持された状態で、靴の前後方向に延びる。
【００４７】  図５の内足ビーム３４および外足ビーム３５はカウンタ１の最上部に配置され背側において互いに連なっている。内足ベース３８および外足ベース３９は背側において互いに連なっている。
【００４８】  枠状のカウンタ１は内足側において、内足ビーム３４と内足ベース３８とが、第１および第２ブリッジ３１，３２で互いに連結されている。また、内足ビーム３４と外足ベース３９とは背側において第３ブリッジ３３で互いに連結されている。さらには、外足ビーム３５と外足ベース３９とは第４ブリッジ３４Ｂで互いに連結されている。第１ブリッジ３１と第４ブリッジ３４Ｂは、第２ブリッジよりも肉薄に形成されている。
【００４９】  図２のカウンタ１はヒール部１５および可動部１６を有する。ヒール部１５は履き口２０の後部の下方Ｄの位置においてソール４から上方に延びアッパー２の内足側、背側および外足側に配置されている。可動部１６は内足側および外足側の履き口２０の前部の下方Ｄの位置において、各々、ヒール部１５から斜め前方の上方に延びる。
【００５０】  図２の内外の可動部１６は内足部２Ｍおよび外足部２ＬのハトメＨのうち、各々、最後端のハトメＨＮに向かって延びている。内外の可動部１６の先端は、挿入された足の踵よりも前方となる位置まで延びている。ハトメＨＮを含む後端側の２つのハトメにはハトメピース８が設けられている。ハトメピース８は長円状に形成されており、可動部１６の延びる方向とハトメピース８の長軸の延びる方向とが沿うように斜め方向に配置されている。
【００５１】 つぎに、カウンタ１およびアッパー２の構造の詳細について説明する。
【００５２】  図２において、アッパー２の履き口２０は、内足側の内足ライン２１と外足側の外足ライン２２とで定義される。本実施形態においては、内足ライン２１および外足ライン２２は、ともに下方に向かって凸のラインで形成され、それぞれ、ライン上の最下端の第１点Ｏ１および第３点Ｏ３を有する。ただし、内足ライン２１および外足ライン２２は、下向きに凸に限定されるものではなく、前後方向に傾斜を有する直線状または曲線状でもよいし、傾斜を有しない直線状であってもよい。
【００５３】  図２（ｂ）に示すように、外足側の第３点Ｏ３は内足側の第１点Ｏ１よりも下方に配置されている。
【００５４】  図２のカウンタ１の上縁は内足側の第１カウンタライン１１および外足側の第２カウンタライン１２で定義される。これらの第１カウンタライン１１および第２カウンタライン１２は、それぞれ、カウンタ上部に配置された内足ビーム３４および外足ビーム３５の上縁のラインである。
【００５５】  図２の第１カウンタライン１１はアッパーの内足ライン２１に沿い、下方に向かって凸のラインである。一方、第２カウンタライン１２はアッパーの外足ライン２２に沿い、下方に向かって凸のラインである。後端から前方に向かう第１カウンタライン１１の傾斜は、後端から前方に向かう第２カウンタライン１２の傾斜よりも緩やかに形成されている。第２カウンタライン１２の方が第１カウンタライン１１よりも大きく下方に向かって湾曲している。また、第２カウンタライン１２の方が、第１カウンタライン１１よりも小さい曲率半径を含む部分を有する。
【００５６】  図２の第１カウンタライン１１および第２カウンタライン１２は、それぞれ、ライン上の最下端の点である第２点Ｏ２および第４点Ｏ４を有する。したがって、第１カウンタライン１１および第２カウンタライン１２は、それぞれ、第２点Ｏ２および第４点Ｏ４よりも前方において斜め前方の上方に延び、一方、第２点Ｏ２および第４点Ｏ４よりも後方において斜め後方の上方に延びる。内足ライン２１と第１カウンタライン１１との間の距離はほぼ一定であるが、外足ライン２２と第２カウンタライン１２との間の距離は、第４点Ｏ４の前後で異なっている。具体的には、第４点Ｏ４から第２カウンタライン１２の後端までの間における前記両者の距離は、第２カウンタライン１２の前端から第４点Ｏ４までの間における前記両者の距離よりも大きい。これにより、第４点Ｏ４よりも後方において、カウンタに覆われずにアッパーが露出する領域が大きくなる。
【００５７】  図３（ａ）および（ｂ）に示す内足高低差ＨＭおよび外足高低差ＨＬは、以下のように定義される。  内足高低差ＨＭ：内足ライン２１上の最下端の第１点Ｏ１と第１カウンタライン１１上の最下端の第２点Ｏ２との高さ方向の差。  外足高低差ＨＬ：外足ライン２２上の最下端の第３点Ｏ３と第２カウンタライン１２上の最下端の第４点Ｏ４との高さ方向の差。  なお、内足高低差ＨＭおよび外足高低差ＨＬは、内外のそれぞれにおいて、カウンタに覆われずにアッパーが露出する領域の高さでもある。
【００５８】  外足高低差ＨＬは内足高低差ＨＭよりも大きい。したがって、外足側の第２カウンタライン１２は内足側の第１カウンタライン１１よりも大きく下方に下がった位置に配置される。
【００５９】  図３の第１高低差Ｈ１、第２高低差Ｈ２および第３高低差Ｈ３は以下のように定義される。  第１高低差Ｈ１：内足ライン２１上の後端側の最上点Ｏから第１点Ｏ１までの高さ方向の差。  第２高低差Ｈ２：内足側において、第１カウンタライン１１および第２カウンタライン１２における後端の第５点Ｏ５から第２点Ｏ２までの高さ方向の差。  第３高低差Ｈ３：外足側において、第５点Ｏ５から第４点Ｏ４までの高さ方向の差。
【００６０】  第１〜第３高低差Ｈ１〜Ｈ３は下記の式（１００）を満たす。    Ｈ３＞Ｈ１＞Ｈ２      ……（１００）
【００６１】  すなわち、図３（ａ）の内足側において、第１カウンタライン１１のヒール部１５の第２高低差Ｈ２はアッパー２の踵部の第１高低差Ｈ１よりも小さい。したがって、第１カウンタライン１１上の第２点Ｏ２が内足ライン２１上の第１点Ｏ１に近い位置に配置されることになる。
【００６２】  一方、図３（ｂ）の外足側において、第２カウンタライン１２のヒール部１５の第３高低差Ｈ３は図３（ａ）の内足側の第１高低差Ｈ１よりも大きい。したがって、第２カウンタライン１２上の第４点Ｏ４が外足ライン２２上の第３点Ｏ３から離れた位置に配置されることになる。
【００６３】  図３の内足高低差ＨＭおよび外足高低差ＨＬは、靴の前後方向のサイズをＳとしたとき、下記の式（１１０）を満たす。    Ｓ／１００＜ＨＬ−ＨＭ＜Ｓ／１０    ……（１１０）  例えば靴のサイズＳが２７ｃｍである場合、外足高低差ＨＬから内足高低差ＨＭを減算した値（ＨＬ−ＨＭ）は１．０ｃｍ程度に設定されてもよい。  外足高低差ＨＬと内足高低差ＨＭとの差が小さすぎると、前記各機能の向上が十分でない場合が生じるかもしれない。
【００６４】  外足高低差ＨＬはサイズＳに対し下記の式（１２０）を満たすのが好ましいだろう。    Ｓ／２７＜ＨＬ＜Ｓ／６      ……（１２０）  例えば靴のサイズＳが２７ｃｍである場合、外足高低差ＨＬは１．０〜４．５ｃｍに設定されてもよい。
【００６５】  このような範囲に設定される理由は、外足高低差ＨＬが大きすぎる場合、カウンタ本来の機能低下を招き、一方、外足高低差ＨＬが小さすぎる場合、カウンタ部分のアッパーの足沿い向上の効果が得にくいからである。
【００６６】  図２（ｂ）に示す外足側において、カウンタ１の第４点Ｏ４は、アッパー２の第３点Ｏ３よりも靴の前後方向の後方Ｂに配置されている。一方、図２（ａ）に示す内足側においてカウンタ１の第２点Ｏ２はアッパー２の第１点Ｏ１の略真下の位置に配置されている。第４点Ｏ４は第２点Ｏ２よりも後方に位置している。さらに、図５に示すように、第４点Ｏ４は、カウンタ１の前後方向の全長の中心よりも後方Ｂに位置している。一方、第２点Ｏ２は、カウンタ１の前後方向の全長の中心よりも前方Ｆに位置していてもよい。
【００６７】  以上のように、第１〜第４点Ｏ１〜Ｏ４が配置されているため、図２の第２距離ＤＬは第１距離ＤＭよりも大きい。ここで、第１距離ＤＭおよび第２距離ＤＬは下記のように定義される。
【００６８】  第１距離ＤＭ：第１点Ｏ１から第２点Ｏ２までの前後方向（水平方向）の距離。  第２距離ＤＬ：第３点Ｏ３から第４点Ｏ４までの前後方向（水平方向）の距離。
【００６９】  図２において、カウンタ１の内足アーム３６および外足アーム３７は、各々、内前端ライン１３および外前端ライン１４を定義する。内前端ライン１３は内足側のソール上縁におけるカウンタ１の最前端となる内足下端点Ｏ６から斜め前方の上方に向かって延びる。外前端ライン１４は外足側のソール上縁におけるカウンタ１の最前端となる外足下端点Ｏ７から斜め前方の上方に向かって延びる。内前端ライン１３と外前端ライン１４とは、それぞれ後方に向けて緩やかな凸状を有する湾曲状に形成されている。なお、これらの点Ｏ６，Ｏ７は各前端ラインとソール４の巻上部４０の上縁との交点である。
【００７０】  外足下端点Ｏ７は、内足下端点Ｏ６よりも靴の前後方向の後方Ｂに配置されている。
【００７１】  内足アーム３６は、内足ベース３８の前端部から内足ビーム３４の前端部とつながるように斜め上方に向かって延びる。同様に、外足アーム３７は外足ベース３９の前端部から外足ビーム３５の前端部とつながるように斜め上方に向かって延びる。つまり、内足部および外足部それぞれのアームとビームとは、前端部において互いに接続されており、両者のなす角は鋭角である。このことにより、カウンタ（ビーム）の上縁ラインとアームの前端ラインとで囲まれる領域は、前方に向かうにつれて幅が狭くなるように形成されている。
【００７２】  本実施形態において、図４（ａ）の内足の可動部１６の基端部となる第１幅ＷＭは、図４（ｂ）の外足の可動部１６の基端部となる第２幅ＷＬよりも大きい。  ここで、各幅ＷＭ，ＷＬは以下のように定義される。  第１幅ＷＭ：内足側における第２点Ｏ２から内足下端点Ｏ６までの距離。  第２幅ＷＬ：外足側における第４点Ｏ４から外足下端点Ｏ７までの距離。
【００７３】  図４において、図４（ｂ）の外足の第２長さＬＬは、図４（ａ）の内足の第１長さＬＭよりも長い。  ここで、各長さＬＭ，ＬＬは以下のように定義される。  第１長さＬＭ：第２点Ｏ２から内足側の可動部１６の先端までの前後方向の長さ。  第２長さＬＬ：第４点Ｏ４から外足側の可動部１６の先端までの前後方向の長さ。
【００７４】  図１（ｃ）の外足側の第４点Ｏ４は中敷き７の全長を１００％としたとき、好ましくはアッパー２の内部の後端（靴内部に配置された状態の中敷の後端に相当する位置）２４から第４点Ｏ４までの前後方向の長さＬ４は、前記全長の１５％以内の位置に配置されている。より好ましくは５％〜１５％の位置に配置されていてもよい。なお、中敷がない靴の場合、インソールや靴の内寸の全長を代用することができる。
【００７５】  つぎに、本実施形態の作用について説明する。  走行機能を重視した運動靴では、図３に示すように、外足ライン２２上の最下端の第３点Ｏ３が内足ライン２１上の最下端の第１点Ｏ１よりも下方に配置されていることが好ましい。このように第１点Ｏ１と第３点Ｏ３を配置することで、内踝よりも低い位置にある外踝に対して外足ライン２２が干渉しないようにすることができる。
【００７６】  本実施形態の場合、第１点Ｏ１よりも下方に配置された第３点Ｏ３から更に大きく離れた下方にカウンタの第４点Ｏ４が配置されている。したがって、外踝から外足側の第２カウンタライン１２までの高さが大きくなる。また、第２のカウンタラインは、外踝の周囲を覆うように下方に向かって凸形状を有している。そのため、外足側において、上方に向かってテーパ状に細い踵の外足面にカウンタが沿い易くなるであろう。また、カウンタに覆われずにアッパーが露出する領域の高さが大きい。その結果、外足側においてアッパーのフィット性が向上するであろう。
【００７７】  また、本実施形態の場合、図３（ｂ）の第２カウンタライン１２が低い位置に配置された外足部２Ｌにおいては、シューレース５に引き寄せられた可動部１６を介してヒール部１５が外足の括れ部Ｆ２の下部側面に沿い易い。したがって、アッパーの足沿いが向上するだろう。
【００７８】  一方、本実施形態の場合、図３の第３点Ｏ３よりも上方に配置された第１点Ｏ１に近い位置にカウンタの第２点Ｏ２が配置されている。したがって、内踝から内足側の第１カウンタライン１１までの高さが小さくなる。そのため、内足側において張り出した踵骨載距突起ＡＢなどをカウンタが覆い、足が内足側に倒れるプロネーションを抑制する機能が高いであろう。
【００７９】  また、本実施形態の場合、図３の第１カウンタライン１１が高い位置に配置された内足部２Ｍにおいては、シューレース５に引き寄せられた可動部１６およびヒール部１５によって足が内足側に倒れるのを抑制し易い。
【００８０】  本実施形態の場合、アッパーの第１高低差Ｈ１よりもカウンタの内足側の第２高低差Ｈ２が小さい。したがって、内足側において第１カウンタライン１１をアッパーの内足ライン２１の最下端の第１点Ｏ１に近づけることができる。そのため、足が内足側に倒れるプロネーションを更に抑制し易いだろう。
【００８１】  また、本実施形態において、アッパーの第１高低差Ｈ１よりもカウンタの外足側の第３高低差Ｈ３が大きい。したがって、外足側において第２カウンタライン１２をアッパーの外足ライン２２の最下端の第３点Ｏ３から下方に遠ざけることができる。換言すれば、外足ライン２２上の第３点Ｏ３から離れた位置に第２カウンタライン１２上の第４点Ｏ４が配置されることになる。そのため、外足側の括れ部Ｆ２の下方において、踵の外側面にカウンタが沿い易い。
【００８２】  本実施形態の場合、外足側においてカウンタの最下端の第４点Ｏ４がアッパーの最下端の第３点Ｏ３よりも後方に配置されるため、外踝ＡＬよりも後方にカウンタの第４点Ｏ４が配置されることになる。そのため、踵の後端に向かって細い部位に外足側のカウンタが更に沿い易い。
【００８３】  本実施形態の場合、第４点Ｏ４が第３点Ｏ３よりも後方に配置されている。また、第２距離ＤＬが第１距離ＤＭよりも大きい。そのため、外足側においてアッパーの足沿いが更に向上するだろう。
【００８４】  本実施形態の場合、カウンタ１は斜め前方の上方に向かって延びる各前端ラインを有している。また、カウンタ１の上縁の各ラインと各アーム３６，３７の前端ライン１３，１４とで囲まれる領域が前方へ向かうにつれて幅が狭くなるように形成されているため、カウンタ１の各ベース３８，３９の保形性が得られ、さらにシューレースなどによりアッパーが引き上げられ易くなる。その結果、カウンタの足沿い等が向上してカウンタの前記各機能が向上するであろう。また、内前端ライン１３と外前端ライン１４が、それぞれ後方に向けて緩やかな凸状を有する湾曲状に形成されていることにより、靴の着用時に、各アーム３６，３７における局所的な変形が起こりにくいだろう。
【００８５】  本実施形態の場合、内足側の第６点Ｏ６が外足側の第７点Ｏ７よりも前方に配置されているので、内足側においてカウンタを支えるベース部分が長くなり、カウンタが内足側に倒れるのを抑制し易い。また、アッパー２とソール４の巻上げ部４０との間にベース部分の一部が挟持されていれば、より効果的に内足側の倒れを抑制できるだろう。したがって、プロネーションの抑制機能が更に高まるであろう。
【００８６】  一方、外足側の第７点Ｏ７が内足側の第６点Ｏ６よりも後方に配置されているので、外足側においてカウンタを支えるベース部分が短くなる。そのため、カウンタが外足側において足に沿い易い。したがって、アッパーの足沿いが更に高まるであろう。
【００８７】  本実施形態の場合、第１幅ＷＭが第２幅ＷＬよりも大きい。したがって、各前端ライン１３，１４に沿って斜め前方の上方に向かって延びるカウンタの部分（可動部１６）は、内足側において第２点Ｏ２から第６点Ｏ６までを基端として可動し、一方、外足側において、第４点Ｏ４から第７点Ｏ７までを基端として可動する。
【００８８】  ここで、本実施形態の場合、内足側の第１幅ＷＭが外足側の第２幅ＷＬよりも大きく、内足側の可動部１６が可動しにくい。そのため、足が内足側に倒れようとした場合に、足の倒れを抑制し易いだろう。
【００８９】  例えば、図４（ａ）の第１幅ＷＭが大きい内足側のヒール部１５は、内足を上方まで支え、内足側への足の倒れを抑制し易いだろう。さらに、第１ブリッジ３１および第２ブリッジ３２がＸ状に配置されているので、カウンタ１の内足側の変形が抑制されるだろう。この場合、第1ブリッジ３１を第２ブリッジ３２よりも肉薄に形成すれば、変形を抑制しつつカウンタ１の軽量化が可能となるだろう。
【００９０】  一方、外足側の第２幅ＷＬが内足側の第１幅ＷＭよりも小さく、外足側の可動部１６が可動し易い。そのため、可動部１６がシューレースなどにより引き寄せられ易く、カウンタが足に沿い易い。
【００９１】  すなわち、図４（ｂ）の第２幅ＷＬが小さい外足側の可動部１６は曲げ剛性が小さく、図５（ｃ）の矢印のように足の内外の中央に変形し易いだろう。したがって、アッパーの足沿いが向上するだろう。さらに、図２（ｂ）の第４ブリッジ３４Ｂが、第４点Ｏ４近傍から外足ベース３９に向かって延びており、外足部における足沿いを向上させつつ、第４点付近の強度を確保しているだろう。この場合、第４ブリッジ３４Ｂを他のブリッジよりも肉薄に形成すれば、強度を確保しつつカウンタ１の軽量化が可能となるだろう。
【００９２】  本実施形態の場合、ヒール部１５は前記安定性能やホールド機能を発揮するだろう。一方、可動部１６は踵に対するアッパーの足沿いを向上させるだろう。また、ヒール部１５と可動部１６とが協働してプロネーションの抑制機能を発揮するだろう。
【００９３】  本実施形態の場合、図２に示すように、前記最後端のハトメに向かって延びている内外の可動部１６は、シューレース５に引き寄せられて踝よりも前方においてアッパーを足に沿わせるだろう。特に、可動部１６の延びる方向とハトメピース８の長軸の延びる方向が沿っている場合、足の内外において可動部の足沿いが更に向上するであろう。
【００９４】  本実施形態の場合、図４の各可動部１６の第２長さＬＬが第１長さＬＭよりも大きいことにより、外足側の可動部１６は内足側の可動部１６よりも斜め方向にも長い。
【００９５】  したがって、外足側の可動部１６は、前述のように曲げ剛性が小さいこととも相まって、外足の形状に沿い易く、外足側においてアッパーの足沿いを更に向上させるであろう。
【００９６】  一方、本実施形態のように、第４点Ｏ４が中敷の全長の後端から１５％以内の位置に設定されていることにより、靴に挿入された足の外踝ＡＬの後端よりも後方Ｂに第４点Ｏ４が位置することになり、アッパーの足沿いが向上するであろう。
【００９７】  （実施形態２）  図７は実施形態２を示す。なお、ここでは上記の実施形態１と異なる点について主に説明し、重複する点については説明を繰り返さない。本実施形態においては、各カウンタライン１１，１２上の最下端の第２点Ｏ２および第４点Ｏ４がライン状に表われている。なお、本実施形態の場合、第２高低差Ｈ２（図３）の値はゼロである。
【００９８】  例えば、図７（ａ）の内足側において、第１カウンタライン１１つまり内足ビーム３４の上縁は、第２点Ｏ２から後端の第５点Ｏ５まで同じ高さである。一方、図７（ｂ）の外足側において、第２カウンタライン１２の外足ビーム３５の上縁は、２つの第４点Ｏ４，Ｏ４の間において同じ高さである。
【００９９】  本実施形態の場合、図７（ａ）の第２点Ｏ２の前後方向の位置は、図７に示した第２点Ｏ２から第５点Ｏ５までのいずれの位置であると解してもよいが、図７に示すように、第１カウンタライン１１における最も前方の位置であると解するのが好ましい。その理由は、内足側では第２点Ｏ２が高い位置に配置されていることで、本カウンタが内足の倒れを抑制する機能を狙っているからである。
【０１００】  本実施形態の場合、図７（ｂ）の第４点Ｏ４の前後方向の位置は、図７に示す１つの第４点Ｏ４から別の第４点Ｏ４までのいずれの位置であると解してもよいが、第２カウンタライン１２における最も前方の位置であると解するのが好ましい。その理由は、外足側では第４点Ｏ４が低い位置に配置されていることで、本カウンタが外足側においてアッパー後端部の足沿いを向上させることを狙っているからである。  本実施形態においては、第１および第２カウンタライン１１，１２の最下点の範囲を広くとれるので、踵の位置が異なる様々な使用者に対応する靴を提供できる。
【０１０１】  なお、本実施形態の場合、図７（ｂ）の第３高低差Ｈ３は図７（ａ）の第１高低差Ｈ１よりも小さい。
【０１０２】  （実施形態３）  図８は実施形態３を示す。なお、ここでは上記の実施形態１、２と異なる点について主に説明し、重複する点については説明を繰り返さない。本実施形態においては、カウンタ１のヒール部１５がアッパー２に内蔵され、カウンタ１の可動部１６等が形成された外装カウンタ１が設けられている。外装カウンタ１の上縁ラインは、前方から後方に向かうにつれて高さが低くなるように傾斜状に設けられている。  ヒール部１５を構成する内蔵カウンタ１Ａは、後端の第５点Ｏ５から前方に向かうにつれて下降するように背面視で半球状に形成されている。
【０１０３】  本実施形態において、図８（ａ）の第２点Ｏ２は内蔵カウンタ１Ａと内足側の外装カウンタ１Ｍとの交点で定義される。一方、図８（ｂ）の第４点Ｏ４は内蔵カウンタ１Ａと外足側の外装カウンタ１Ｌとの交点で定義される。  なお、外装カウンタと内蔵カウンタの形状が逆の組合せでもよく、両部材が共にアッパーに外装されていてもよい。本実施形態においては、カウンタの形状をシンプルにできる。
【０１０４】  （実施形態４）  図９は実施形態４を示す。なお、ここでは上記の実施形態１〜３と異なる点について主に説明し、重複する点については説明を繰り返さない。本実施形態においては、外足ベース３９が前述の各実施形態に比べ前後方向に短い。なお、外足ベース３９は設けられていなくてもよい。
【０１０５】  また、内足および外足アーム３６，３７の各前端ライン１３，１４は、直線状に斜め前後方向に延びていてもよい。
【０１０６】  内外のブリッジは、各々１つであってもよい。例えば、内足側において第１ブリッジ３１は内足ビーム３４と内足ベース３８との間に上下に架設されていてもよい。第１ブリッジ３１は内足ビーム３４および内足ベース３８よりも肉薄に形成されていてもよい。  一方、外足側において、第４ブリッジ３４Ｂは外足アーム３５と外足ベース３９との間に上下に架設されていてもよい。第４ブリッジ３４Ｂは外足アーム３５および外足ベース３９と同じ厚さに形成されていてもよい。  なお、各貫通孔１９は設けられていなくてもよい。  本実施形態においては、ヒール部１５の強度を他の実施形態より弱く設定することができるので、着地時のクッション性を靴に付与することができる。
【０１０７】  （実施形態５）  図１０は実施形態５を示す。なお、ここでは上記の実施形態１〜４と異なる点について主に説明し、重複する点については説明を繰り返さない。本実施形態においては、内足ビーム３４と外足ビーム３５の形状が互いに異なっている以外は、カウンタ１は内足側と外足側とが同じ形状および構造である。本実施形態は、他の実施形態よりも強度が強いアッパーを備えた靴などに適用できる。
【０１０８】  本実施形態において、ブリッジは設けられていない。また、内外の貫通孔１９は背側において１つに連なって形成されていてもよい。これは、アッパー自体が強度を有しているためである。
【０１０９】  また、可動部１６は上記の各実施形態の可動部よりも短い。更に、各カウンタライン１１，１２が下方に向かって凸であれば、可動部１６は設けられていなくてもよい。  また、第６点Ｏ６と第７点Ｏ７とが前後方向に同じ位置であってもよい。  本実施形態においては、実施形態４よりさらに着地時のクッション性を靴に付与することができる。
【０１１０】  （実施形態６）  図１１は実施形態６を示す。なお、ここでは上記の実施形態１〜５と異なる点について主に説明し、重複する点については説明を繰り返さない。本実施形態においては、アッパー２はミドルカットないしハイカットタイプで、内足部２Ｍが内踝を覆い、外側部２Ｌが外踝を覆う。
【０１１１】  内足ライン２１および外足ライン２２は、水平方向に延びる。したがって、第１点Ｏ１および第３点Ｏ３は各ライン２１および２２上のいずれの点に設定してもよい。
【０１１２】  また、本実施形態において、内足ライン２１の第１点Ｏ１と外足ライン２２の第３点Ｏ３とは同じ高さに設定されていてもよいし、一方が他方に対して高く設定されていてもよい。本実施形態では、ミドルカットないしハイカットタイプの靴においても他の実施形態と近似した効果を得ることができる。
【０１１３】  ところで、上記の実施形態１，２および４〜６ではカウンタ１がアッパー２に外装されていたが、カウンタはアッパー内に内蔵されていてもよい。例えば、カウンタはアッパーの外甲材（外装材）と腰裏材（内装材）との間に配置されてもよい。
【０１１４】  また、上記の各実施形態において、カウンタはアッパーの後端において内足側と外足側とに２分割されていてもよい。例えば、図８の場合、カウンタ１は内蔵カウンタ１Ａ、外装カウンタ１Ｍおよび外装カウンタ１Ｌの３つに分割されていてもよい。
【０１１５】  なお、これらの場合、分割されたカウンタは互いに異なる素材で形成されていてもよい。また、内外に分割されたカウンタの間には踵センタにおいて足の幅方向に隙間があってもよい。
【０１１６】  また、例えば、図２のカウンタはベース３８，３９および／またはブリッジ３１〜３３，３４Ｂを設けずにアーム３６，３７とビーム３４，３５のみを有する形状であってもよい。また、カウンタは各アームや各ビームが互いに継ぎ目なく一体に形成されるのではなく、ビーム３４，３５と可動部１６,１６の間に多少の切れ目があってもよい。可動部１６の部分は、カウンタの他の箇所よりも肉薄に形成されていてもよい。可動部の長さは、内足側および外足側で同じであってもよいし、異なっていてもよい。第１カウンタライン１１と第２カウンタライン１２以外の部分は、内外足側で互いに対称の形状を有していてもよい。最後端のハトメＨＮは、可動部１６と一体的に形成されていてもよい。  アッパーの下に配置されるソールは、いわゆるアウトソールおよび／またはミッドソールを有していてもよい。  カウンタが内蔵式である場合、カウンタは熱可塑性の樹脂の他、厚板紙や板紙に樹脂が含浸されたものであってもよい。
【０１１７】  以上のとおり、図面を参照しながら好適な実施形態を説明したが、当業者であれば本明細書を見て、自明な範囲で種々の変更および修正を容易に想定するであろう。  上記の実施形態において、個数、量などに言及したものについては、特に記載がある場合を除き、本発明の範囲は必ずしもその個数、量などに限定されない。また、実施形態において、各々の構成要素は、特に記載がある場合を除き、本発明にとって必ずしも必須のものではない。したがって、そのような変更および修正は請求の範囲から定まる本発明の範囲のものと解釈される。
【０１１８】  （実施の形態の効果）  以上、本実施の形態によると、カウンタにより内足および外足を安定して支持すると共にホールドすることができる。  また、内足側のカウンタにより内足の倒れを抑制し、プロネーションの抑制機能が高まるだろう。  更に、外足側のカウンタにより外足にアッパーが沿い易く、踵に対するアッパーの足沿いが向上するだろう。
【産業上の利用可能性】
【０１１９】  本発明はランニング用などの運動靴の他、ウォーキングなどの種々の用途の靴に適用できる。
【符号の説明】
【０１２０】１：カウンタ  １Ａ：内蔵カウンタ  １Ｍ，１Ｌ：外装カウンタ  １１：第１カウンタライン  １２：第２カウンタライン  １３：内前端ライン  １４：外前端ライン  １５：ヒール部  １６：可動部  １９：貫通孔２：アッパー  ２Ｍ：内足部  ２Ｌ：外足部  ２Ｂ：背側２０履き口  ２１：内足ライン  ２２：外足ライン  ２３：踵部  ２４：後端３１〜３３，３４Ｂ：第１〜第４ブリッジ  ３４：内足ビーム  ３５：外足ビーム  ３６：内足アーム  ３７：外足アーム  ３８：内足ベース  ３９：外足ベース４：ソール  ４０：巻上部５：シューレース  ６：舌片  ７：中敷き  ８：ハトメピースＯ１〜Ｏ７：第１点〜第７点ＡＢ:踵骨載距突起  ＡＭ：内踝  ＡＬ：外踝  Ｆ１：部分  Ｆ２：括れ部ＤＭ：第１距離  ＤＬ：第２距離ＷＭ：第１幅  ＷＬ：第２幅ＨＭ：内足高低差  ＨＬ：外足高低差ＬＭ：第１長さ  ＬＬ：第２長さＢ：後方  Ｄ：下方  Ｆ：前方 
【図１】
2020152821.tif 000003
【図２】
2020152821.tif 000004
【図３】
2020152821.tif 000005
【図４】
2020152821.tif 000006
【図５】
2020152821.tif 000007
【図６】
2020152821.tif 000008
【図７】
2020152821.tif 000009
【図８】
2020152821.tif 000010
【図９】
2020152821.tif 000011
【図１０】
2020152821.tif 000012
【図１１】
2020152821.tif 000013
【国際調査報告】
2020152821.tif 000014
2020152821.tif 000015
2020152821.tif 000016
2020152821.tif 000017
2020152821.tif 000018
2020152821.tif 000019
2020152821.tif 000020
2020152821.tif 000021
2020152821.tif 000022